(57)【特許請求の範囲】
【請求項１】
ベース部材と、
該ベース部材に対して相対的に回転自在で、ディスクを搭載するロータハブと、
該ロータハブに装着されたロータマグネットと、
該ロータマグネットの径方向外方に対向して配設され、環状基部と該環状基部から半径方向内方に延出する複数の脚部とを備えるステータコア、およびこのステータコアの脚部に巻き付けられるステータコイルを有するステータと、
該ステータを覆うシールド板と
を備えたディスク駆動装置において、
前記ベース部材における前記ステータコアの隣り合う前記脚部間に柱を設け、該各柱に跨るように前記シールド板を配置し、前記ベース部材と前記シールド板とを前記各柱によりつなぐようにしたことを特徴とするディスク駆動装置。
【請求項２】
前記柱が前記ベース部材に一体的に形成されており、前記ベース部材がダイキャスト成形で成形されたものであることを特徴とする請求項１記載のディスク駆動装置。
【請求項３】
前記柱がブロック状の部材を前記ベース部材に接着して成ることを特徴とする請求項１記載のディスク駆動装置。
【請求項４】
前記柱が前記シールド板に一体的に形成されていることを特徴とする請求項１記載のディスク駆動装置。
【発明の詳細な説明】
【０００１】
【発明の属する技術分野】
本発明はハードディスク等のディスク型記録媒体を駆動する装置に関し、より詳細には小型・薄型のディスク駆動装置に関するものである。
【０００２】
【従来の技術】
近年、ディスク駆動装置はパーソナルコンピュータを初め種々の機器に搭載されている。これらの機器の最近の小型・軽量化に伴い、ディスク駆動装置の小型・軽量化、特に薄型化が強く望まれている。
【０００３】
ところで、ディスク駆動装置の筐体がスピンドルモータのベース部材を兼ねる、いわゆるベース一体型の装置を薄型化する場合、スピンドルモータのステータに所定量のコイルを巻装するためには、筐体即ちベース部材を薄肉化する必要がある。特に、磁気回路部のスペースを大きくとらなければならないため、必然的にベース部材のステータ収容部分は薄くなる傾向にある。図５はそのような従来のディスク駆動装置の分解斜視図であり、図６は図５のディスク駆動装置の断面図である。
【０００４】
図５、６に示すように、このディスク駆動装置は、アルミダイキャスト成形されたベースプレート（ベース部材）１と、ベースプレート１の取付け孔１１に裏面側からネジ７で固定された軸部材２と、軸部材２に所定の間隔をおいて取り付けられた一対の軸受３（３ａ、３ｂ）と、この一対の軸受３を介して軸部材２に回転自在に支持されたロータハブ４と、ロータハブ４の下端外周に装着された環状のロータマグネット５と、ロータマグネット５に対向して配設された、ステータコア６１と複数のステータコイル６２を有するステータ６と、ステータ６を覆うように蓋をして、スピンドルモータの磁気回路部からの漏洩磁束を遮断する円環状のシールド板８とを備えている。なお、シールド板８は強磁性のステンレス材等から成っており、ベースプレート１に接着剤等で固定されている。また、ロータハブ４に搭載されるディスクは省略されている。
【０００５】
ベースプレート１には、他の部分よりも肉厚の薄い溝Ｄが形成されており、ステータコイル６２の下端がこの溝Ｄに収容されている。なお、ベースプレート１の各ステータコイル６２間に位置する部分Ｆは平坦になっており、この平坦な部分Ｆの半径方向外方にはベースプレート１の内壁に沿って、ステータコア６１の環状基部６１１を載置してステータコイル６２の巻線量を確保するためのステータステップ１２が設けられている。
【０００６】
なお、ステータ６のステータコア６１は、環状基部６１１と、円周方向に等間隔に環状基部６１１から半径方向内方に延出する９本の脚部（図示せず）と、脚部の先端に形成され円周方向に広がる突極６１２とが一体成形された鉄製薄板を積層したもので、このステータコア６１の脚部にワイヤが巻き付けられてステータコイル６２が形成されている。
【０００７】
ロータハブ４は、磁性のステンレス材等で形成され、略円筒状を為し、その内周部が一対の軸受３の外輪に固定されており、この軸受３を介してロータハブ４は軸部材２の外周部に回転自在に支持されている。また、ロータハブ４の外周面はディスクの内径と実質上等しい径に形成され、略中央部にはディスクを載置するための鍔状部４１が形成されている。その鍔状部４１の外周側面下部にロータマグネット５が固定保持されている。
【０００８】
【発明が解決しようとする課題】
しかしながら、上述したような従来のディスク駆動装置では、装置を薄型化するためにベース部材を薄肉化すると、ベース部材の強度が低下し筐体の剛性が失われる。このため、スピンドルモータの回転に伴って異常振動が起こったり振動によって騒音が発生したりするといった問題があり、装置の薄型化には自ずと限界があった。
【０００９】
そこで、本発明は、上記問題点に鑑みてなされたものであり、その目的は、これまでのディスク駆動装置よりも小型・薄型であると同時に、振動や騒音が生じないディスク駆動装置を提供することにある。
【００１０】
【課題を解決するための手段】
上記目的を達成するため、本発明によるディスク駆動装置は、ベース部材と、該ベース部材に対して相対的に回転自在で、ディスクを搭載するロータハブと、該ロータハブに装着されたロータマグネットと、該ロータマグネットの径方向外方に対向して配設され、環状基部と該環状基部から半径方向内方に延出する複数の脚部とを備えるステータコア、およびこのステータコアの脚部に巻き付けられるステータコイルを有するステータと、該ステータを覆うシールド板とを備えたディスク駆動装置において、前記ベース部材における前記ステータコアの隣り合う前記脚部間に柱を設け、該各柱に跨るように前記シールド板を配置し、前記ベース部材と前記シールド板とを前記各柱によりつなぐようにしたことを特徴としている。
【００１１】
このような構成によれば、部材の柱の部分は肉厚が増しているので、ベース部材とシールド板とで形成される筐体の強度が上がって、従来のものよりも筐体の剛性が増す。一方、ベース部材を従来のものに比べて薄肉化しても筐体の剛性を維持することができる。
【００１２】
具体的には、前記柱が前記ベース部材に一体的に形成されており、前記ベース部材がダイキャスト成形で成形されたものであるようにしたり、前記柱がブロック状の部材を前記ベース部材に接着して成るようにする、もしくは、前記柱が前記シールド板に一体的に形成されているようにすることが考えられる。
【００１３】
【発明の実施の形態】
以下、図面を参照しながら本発明に係るディスク駆動装置について説明する。図１は本発明の第１の実施形態であるディスク駆動装置のベースプレートの斜視図であり、図２は図１のディスク駆動装置の断面図である。これらの図に示すように、本実施形態では、ベースプレート１のステータコイル６２間に位置する部分Ｆに断面形状が略台形をした柱１３がベースプレート１とシールド板８をつなぐように形成されており、この柱１３はアルミダイキャスト成形でベースプレート１に一体成形されたものとなっている。
【００１４】
そして、柱１３の上面はシールド板８に当接しており、シールド板８は接着剤で柱１３に固定されている。なお、その他の構成は前述した従来のディスク駆動装置と同様であり、対応する箇所には同一の符号が付してあるとともに、重複する説明は省略してある。
【００１５】
このようにすると、ベースプレート１に形成された柱１３の部分は部材の肉厚が増しているので、ベースプレート１の強度が向上するとともに、加えてシールド板８が各柱１３に当接固定されているので、ベースプレート１とシールド板８とで形成される筐体の強度もより増大して、従来のものよりも筐体の剛性が増す。このため、ベースプレート１を従来のものと比べて薄肉化しても、筐体の剛性が維持確保され、これによって、スピンドルモータの回転に伴う磁気誘導等によってステータ６が異常振動したり振動によって騒音が発生したりするといったことを防ぐことができるので、装置の薄型化及び静音化を図ることができる。
【００１６】
また、柱１３がベースプレート１と一体成形なため、製造が容易であるとともに、製造コストも安価である。
【００１７】
次に、本発明の第２、３の実施形態について説明する。図３は本発明の第２の実施形態であるディスク駆動装置の断面図であり、図４は第３の実施形態であるディスク駆動装置の断面図である。図３に示す第２の実施形態では、柱１４がベースプレート１と一体ではなく別体であり、ブロック状のアルミ部材がベースプレート１に接着剤を用いて接着固定されて成っている点が、前述した第１の実施形態と異なっている。
【００１８】
図４に示す第３の実施形態では、柱８１がベースプレート１ではなくシールド板８に一体的に形成されており、柱８１の下面はベースプレート１に当接しているとともに、シールド板８の柱８１はベースプレート１に接着剤等で固定されている点が第１の実施形態と異なっている。なお、いずれの実施形態においてもその他の構成は第１の実施形態と同様である。
【００１９】
このようにしても、筐体の剛性が向上するので、装置の薄型化・静音化が図られる。
【００２０】
なお、これまで、本発明のディスク駆動装置の実施形態として、軸固定のインナーロータ型の駆動装置について説明してきたが、本発明はこの実施形態に限定されるものではなく、例えば軸回転のアウターロータ型のものなど本発明の主旨を逸脱しない範囲で設計変更、修正したものも本発明の技術的範囲に含まれる。
【００２１】
【発明の効果】
以上説明した通り本発明のディスク駆動装置では、ステータコイル間にベース部材とシールド板をつなぐ柱を設けて筐体の剛性を向上させたので、振動や騒音が生じることもなく装置の小型・薄型化を図ることができた。
【図面の簡単な説明】
【図１】  本発明の第１の実施形態であるディスク駆動装置のベースプレ一トの斜視図。
【図２】  図１のディスク駆動装置の断面図。
【図３】  本発明の第２の実施形態の断面図。
【図４】  本発明の第３の実施形態の断面図。
【図５】  従来のディスク駆動装置の分解斜視図。
【図６】  図５のディスク駆動装置の断面図。
【符号の説明】
１    ベースプレート（ベース部材）
４    ロータハブ
５    ロータマグネット
６    ステータ
８    シールド板
Ｄ    溝
１３、１４、８１    柱
６１    ステータコア
６２    ステータコイル
【図１】
0003959295.tif 000002
【図２】
0003959295.tif 000003
【図３】
0003959295.tif 000004
【図４】
0003959295.tif 000005
【図５】
0003959295.tif 000006
【図６】
0003959295.tif 000007